(57)【要約】      （修正有）【課題】データセットの相互的なレビューのための方法及びデータセットの相互的なレビューを可能にするように構成された装置を提供する。【解決手段】データセットをレビューするためのユーザリクエストは、ユーザ入力部を介して受信される１０。このリクエストに応答して、プロセッサはデータセットからデータセットの粗いビュー及びデータセットの細かいビューに関する代表値を生成する１１、１２。ユーザインターフェース生成部は、データセットの粗いビュー及びデータセットの細かいビューにグラフィックユーザインターフェースを表示する１３。【選択図】図２
2014229323.tif 000002
【特許請求の範囲】
【請求項１】
データセットの相互的なレビューのための方法であって、前記方法は、
−前記データセットをレビューするためのユーザリクエストを受信するステップ（１０）と、
−前記データセットから前記データセットの粗いビュー（２）に関する代表値を生成するステップ（１１）と、
−前記データセットから前記データセットの細かいビュー（３）に関する代表値を生成するステップ（１２）と、
−グラフィックユーザインターフェース（１）に前記データセットの前記粗いビュー（２）及び前記データセットの前記細かいビュー（３）を表示するステップ（１３）と、
を含む、前記方法。
【請求項２】
前記データセットの前記粗いビュー（２）に関する前記代表値は、前記粗いビュー（２）における複数の表示可能な値に従って前記データセットのデータ要素をクラスタ化すること及び各クラスタに関して表示されるべき値を決定することによって生成される（１１）、請求項１に記載の方法。
【請求項３】
前記データセットの前記細かいビュー（３）に関する前記代表値は前記データセットのサブセットを選択することによって生成され（１２）、前記データセットの前記サブセットは前記粗いビュー（２）の特定の領域に対応する、請求項１又は２に記載の方法。
【請求項４】
−前記粗いビュー（２）の領域（６）を特定するユーザ入力を受信するステップと、
−前記データセットから、前記ユーザによって特定された前記領域（６）に従って前記データセットの前記細かいビュー（３）に関する前記代表値を生成するステップ（１２）と、
−前記データセットから当該生成された（１２）代表値で前記データセットの前記細かいビュー（３）を更新するステップと、
をさらに含む、請求項１乃至３のいずれかに記載の方法。
【請求項５】
−前記グラフィックユーザインターフェース（１）をサイズ変更するためのユーザ入力を受信するステップと、
−当該サイズ変更されたグラフィックユーザインターフェース（１）のサイズに従って、前記データセットから前記データセットの前記粗いビュー（２）及び前記データセットの前記細かいビュー（３）に関する前記代表値を生成するステップ（１１、１２）と、
−前記データセットから当該生成された（１１、１２）代表値で前記データセットの前記粗いビュー（２）及び前記データセットの前記細かいビュー（３）を更新するステップと、
をさらに含む、請求項１乃至４のいずれかに記載の方法。
【請求項６】
データセットの相互的なレビューを可能にするように構成された装置（２０）であって、前記装置は、
−前記データセットをレビューするためのユーザリクエストを受信する（１０）ように構成されたユーザ入力部と、
−前記データセットから前記データセットの粗いビュー（２）及び前記データセットの細かいビュー（３）の代表値を生成する（１１、１２）ように構成されたプロセッサ（２３）と、
−前記データセットの前記粗いビュー（２）及び前記データセットの前記細かいビュー（３）を表示する（１３）グラフィックユーザインターフェース（１）を出力するように構成されたユーザインターフェース生成部（２４）と、
を備えた、前記装置。
【請求項７】
データセットの相互的なレビューを可能にする命令を格納したコンピュータ可読記録媒体であって、コンピュータによって実行されるとき、前記コンピュータに、
−前記データセットをレビューするためのユーザリクエストを受信させ（１０）、
−前記データセットから前記データセットの粗いビュー（２）に関する代表値を生成させ（１１）、
−前記データセットから前記データセットの細かいビュー（３）に関する代表値を生成させ（１２）、
−前記データセットの前記粗いビュー（２）及び前記データセットの前記細かいビュー（３）を表示する（１３）グラフィックユーザインターフェース（１）を出力させる、前記コンピュータ可読記録媒体。
【発明の詳細な説明】
【技術分野】
【０００１】
本発明は、データセットの相互的なレビューのための方法及び装置に関する。より詳細には、レビュワーがグラフィックユーザインターフェースを用いて大きなデータセットのデータを簡単にアクセス及び解析可能にする方法及び装置が記述される。
【背景技術】
【０００２】
デジタル画像シーケンスとしても言及される、デジタルモーションピクチャは、メタデータ情報を伴うことが多い。好ましくは、メタデータ情報は、デジタル画像シーケンスの単一のフレームごとに利用可能である。メタデータは、典型的には、カメラ自体、又はむしろリアルタイム若しくは非リアルタイム後処理アルゴリズムのいずれかによって生成される。メタデータは、例えば、ノイズレベル、画像コントラスト、又は、より洗練されたアルゴリズムの場合には個々のフレーム内で検出された複数の顔若しくは車などの複数の情報を備える。しかしながら、典型的には１秒につき２４フレームを有する９０分のデジタルムービーに関して、単一のメタデータファイルは１２９６００個のメタデータ要素を備える。プロフェッショナルな後生成環境では、映画ごとの複合的なデータセット又は複数のデータセットを有する複合的な映画の開発に取り組む人間のレビュワーは、ある品質の基準に関するメタデータ情報を調査することを要する。多大な量の情報のため、人間のレビュワーはメタデータを調査するのに必要とされる時間を最適化する際に重大な関心を有する。
【０００３】
単一のプロット、例えばグラフ又はバープロットにおけるそのような多大な量のデータを表示するための一般的な技術は、表示されることが望まれるデータの量（例えば、１０００００以上のメタデータ要素）を利用可能なピクセル又は表示部のドットと一致するために典型的にはダウンサンプリングを使用する。用語の意味内の表示部は、例えば、特にメタデータの表示に使用されるモニター、例えばその目的のために使用されるウインドウなどの（典型的にはＧＵＩと呼ばれる）グラフィカルユーザインターフェースである。利用可能な解像度は、モニター自身によって定められ、すなわち、個々のモニターのハードウェアの解像度によって又はメタデータの表示に使用されるＧＵＩ−ウインドウ内の複数のピクセルによって定められる。
【先行技術文献】
【特許文献】
【０００４】
【特許文献１】欧州特許２４８５１９０号明細書
【発明の概要】
【発明が解決しようとする課題】
【０００５】
この点について、特許文献１は、明確な解像度を有する表示メディア上の画像フレームのシーケンスに対応する多大な量のメタデータを表すための方法が開示されている。生成データグラフが表示メディアにフィットすることを確実にするために、データセットは所定の長さのクラスタに分割される。各クラスタは、プロットの単一の値を表し、個々に処理される。クラスタの処理は、アウトライナー（outliners）が維持されるような方法で実行される。それは、品質制御に関してメタデータの迅速な概観を与えるために十分に適合される。しかしながら、このアプローチは重要なデータサンプルがレビュワーに対して可視であることを確実にする一方で、レビュワーがそのような重要なデータサンプルを取り扱うことを可能にする方法は議論されていない。
【課題を解決するための手段】
【０００６】
本発明の目的は、グラフィックユーザインターフェースを用いて大きいデータセットの相互的なレビューのための解決方法を提供することである。
【０００７】
本発明の１つの態様によると、データセットの相互的なレビューのための方法は、
−前記データセットをレビューするためのユーザリクエストを受信するステップと、
−前記データセットの粗いビューのために、前記データセットから表示値を生成するステップと、
−前記データセットの細かいビューのために、前記データセットから表示値を生成するステップと、
−グラフィックユーザインターフェースにおいて前記データセットの前記粗いビュー及び前記データセットの前記細かいビューを表示するステップと、
を備える。
【０００８】
従って、データセットの相互的なレビューを可能にするように構成された装置は、
−前記データセットをレビューするためのユーザリクエストを受信するように構成されたユーザ入力部と、
−前記データセットの粗いビュー及び前記データセットの細かいビューのための前記データセットから表示値を生成するように構成されたプロセッサと、
−前記データセットの前記粗いビュー及び前記データセットの前記細かいビューを表示するためのグラフィックユーザインターフェースを出力するように構成されたユーザインターフェース生成部と、
を備える。
【０００９】
同様に、コンピュータによって実行されるときにデータセットの相互的なレビューを可能にする命令を格納したコンピュータ可読記録媒体は、前記コンピュータに、
−前記データセットをレビューするためのユーザリクエストを受信し、
−前記データセットの粗いビューのために、前記データセットから表示値を生成し、
−前記データセットの細かいビューのために、前記データセットから表示値を生成し、
−前記データセットの前記粗いビュー及び前記データセットの前記細かいビューを表示するグラフィックユーザインターフェースを出力する、
ことを実行させる。
【００１０】
本発明の１つの態様は、例えばビデオシーケンスに関連付けられたメタデータなどのデータセットの表示を、粗い及び細かいスケールプロットにおいて同時に提供することである。このようにして、データセットの迅速な概観に加えて、メディアの解像度によって及ぼされる制限なしでデータセットのサブセットの直接的でグラフィックな表示が詳細な調査のために利用可能である。
【００１１】
好ましくは、例えばビデオシーケンスの単一のフレームなどのデータセットから得られるコンテンツは、例えば相互的なデータレビュー及び処理目的のために、表示された粗いビュー及び細かいビューと共に表示される。このようにして、提案されたアプローチは、異なる一時的なスケール上のデータセットの可視化と相互的なレビューのための根本的なコンテンツの表示とを組み合わせる。データセットの表示は、好ましくはコンテンツへの相互的な移動、コンテンツの選択、及びコンテンツのすばやいプレビューのためのタイムラインとして機能する。これは、更なる調査及び粗いスケール上で発見された異常の取り扱いを簡単に可能にする。
【００１２】
より良い理解のために、本発明は、ここで、図面を参照して以下の説明において詳細に説明されることになる。本発明は、この例示の実施形態に限定されず、特定された特徴も添付の特許請求の範囲において定められるような本発明の範囲から逸脱することなく適宜組み合わせ及び／又は変更することができることが理解される。
【図面の簡単な説明】
【００１３】
【図１】データセットの相互的なレビューのために適合可能なグラフィックユーザインターフェースを描く図である。
【図２】データセットの相互的なレビューのための本発明による方法を例示する図である。
【図３】図２の方法を実装する装置を描く図である。
【発明を実施するための形態】
【００１４】
以下において、本発明は、フレームを備えた画像シーケンスに対応するメタデータの相互的なレビュー（review）の例で説明されることになる。メタデータはフレーム毎に変化すると仮定される。もちろん、本発明の使用はこの例に限定されない。一般的なアプローチは、データセットの他のタイプも同様に応用できる。
【００１５】
図１は、メタデータのセットの相互的なレビューのために使用されるグラフィックユーザインターフェース１の例示的な概略図である。スクリーンレイアウトの底部で、完全な画像シーケンスのためのメタデータが粗い（coarse）ビュー２で示されている。ここで、横並びのピクセルは、複合的なフレームのための情報を表す。粗いビュー２は、好ましくは、粗いビュー２において表示することができる値の最大数のための値を決定し、データクラスタの対応数を生成し、粗いビュー２における決定された表示値のみを表示することによって生成される。各クラスタは、複数の後続のメタデータ要素を備え、表示することができる値の数によってメタデータ要素の総数を分割することによって生成される。各クラスタに関する表示値は、例えば最大関数（max-function）又は最小関数（min-function）など、個々のクラスタのメタデータ要素に対する所定の関数を適用することによって決定される。
【００１６】
粗いビュー２の上に、１組のメタデータのセクションを表す細かい（fine）ビュー３が示され、好適には各単一のフレームに関するメタデータを有する。セクションは、有利には、セクションウインドウ６を用いて粗いビュー２において強調される。セクション間隔の大きさは、好ましくは、各フレームに関するメタデータが少なくとも１つの水平ピクセルによって表されるような方法で設定される。典型的には、便宜のためピクセルの対がデータのグラフ表示の間の間隔とともに用いられる。表示されたメタデータに加えて、有利には、メタデータに関連付けられた現在のフレームのコンテンツは、フレームウインドウ４内に表示される。細かいビュー３において、調査下の現在のフレームに対応するメタデータは、細かいビュー３の中央に示され、好適にはフレーム前後に対応するメタデータの簡単な調査のためのマーカー７によって識別される。オプションとして、インデックスフレームがメタデータの図とともにインデックスビュー５において追加的に表示される。
【００１７】
相互的な動作は、例えば、タッチング若しくはポインティング、及び対応フレームへのジャンピングにより、粗いビュー２又は細かいビュー３をクリックすることによって達成される。この目的のため、例えば汎用ＰＣ又は専用ＰＣなどの、キーボード、マウス又はタッチユーザインターフェースを有する処理デバイスは、動的表示を生成するために使用される。ターゲットフレームにジャンピングすると、粗いビュー２内のセクションウインドウ６、細かいビュー内に表示されるメタデータ及びフレームウインドウ内のコンテンツビューはリフレッシュされる。
【００１８】
粗いビュー２はまた、多目的タイムラインとして使用され、クリップマーカー８を設定及び可視化することが好適である。これは、例えばビデオ後処理又は復旧のための処理エンジンによって視覚化が達成されるときに特に便利である。
【００１９】
汎用グラフィカルユーザ環境アプリケーションにおいて、ウインドウは通常ユーザによって動的にサイズ変更される場合がある。この場合には、粗いビュー２は新しい仮想スクリーンの解像度を調整するために上記のように再処理される。それから、細かいビューセクションウインドウ３は、例えば、表示されたデータの範囲を変更することによって、又は近接データ値の間の間隔のデータ値を表すために使用されるピクセル数を変更することによって、それに応じて調整される。
【００２０】
データセットの相互的レビューのための方法は、図２に概略的に例示される。第１のステップ１０において、データセットをレビューするためのユーザリクエストが受信される。このリクエストは、明示的なリクエスト、すなわち「レビュー」ボタンがメニューであることをユーザが選択するか、又はリクエストが黙示的であることのいずれかであることが好ましい。例えば、データセットをプログラムにローディングすることは、リクエストを構成することができる。リクエストに応答してデータセットの粗いビュー２のための代表値がデータセットから生成される（１１）。同様に、データセットの細かいビュー３に関する代表値がデータセットから生成される（１２）。データセットの粗いビュー２及びデータセットの細かいビュー３の両方がグラフィックユーザインターフェースに表示される（１３）。
【００２１】
図２の方法を実装するように構成された装置２０は、図３に概略的に示される。装置２０は、例えばローカルストレージ又はネットワークソースから、データセットを受信するための入力部２１及びデータセットをレビューするためのユーザリクエストを受信する（１０）ように構成されたユーザ入力部２２を有する。そのようなユーザリクエストに応答して、プロセッサ２３はデータセットからデータセットの粗いビュー２のための代表値及びデータセットの細かいビュー３のための代表値を生成する（１１、１２）。これらの値は、データセットの粗いビュー２及びデータセットの細かいビューを表示する（１３）グラフィックユーザインターフェース１を出力するユーザインターフェース生成部２４に提供される。グラフィックユーザインターフェース１は、装置の一部を形成するディスプレイ２５へ又は専用出力部２６を介して外部ディスプレイ２７へのいずれかに出力される。いずれかの場合において、有利にはディスプレイ２５、２７は装置２０のためのタッチユーザインターフェースとして機能する。もちろん、装置の様々な部位が同様に結合もしくは部分的に単一の部位に結合され、又はプロセッサ上で動作するソフトウェアとして実装されることができる。
【００２２】
本発明が特定の実施形態を参照して上記で記述されたが、この実施形態に限定されず、更なる代替手段が特許請求された本発明の範囲内に密接に関連する当業者に想到されることになるであろう。
【図１】
2014229323.tif 000003
【図２】
2014229323.tif 000004
【図３】
2014229323.tif 000005
【外国語明細書】
2014229323000001.pdf